(57)【要約】      （修正有）【課題】紫外線吸収剤等の高価な調光剤の使用量を必要最小限に止めるとともに、小ロット生産にも適し、全体としてコスト低減化を図ることが可能な特定波長をカットした照明器具を提供する。【解決手段】特定波長をカットした照明器具であって、ハウジング１と、基板４上に複数の光源５を表面実装した光源アレイ２と、光源の発光部を取り囲むことが可能なキャップ部６を有し、特定波長をカットする調光剤を基材樹脂に配合した調光部材３と、調光部材を基板に取付けた状態の光源アレイをハウジング内に保持した。ここで、調光剤が紫外線吸収剤、ハウジングが直管形、光源がＬＥＤ素子である。そして、光源アレイの基板であってＬＥＤ素子周辺に係止孔１１を設け、調光部材に係止孔に係止するための爪片１２を設けた。【選択図】図３
0003235628.tif 000002
【実用新案登録請求の範囲】
【請求項１】
特定波長をカットした照明器具であって、
ハウジングと、
基板上に複数の光源を表面実装し、各光源の周辺に位置する前記基板に係止孔を設けた光源アレイと、
前記光源の発光部を取り囲むことが可能なキャップ部を有するとともに、前記係止孔に係止する爪片を有し、特定波長をカットする調光剤を基材樹脂に配合した調光部材と、
前記調光部材を前記基板に取付けた状態の光源アレイを前記ハウジング内に保持したことを特徴とする照明器具。
【請求項２】
前記調光部材に配合する調光剤が、紫外線吸収剤である請求項１記載の照明器具。
【請求項３】
前記ハウジングが、直管形である請求項１又は２記載の照明器具。
【請求項４】
前記ハウジングが、前記調光部材を前記基板に取付けた状態の光源アレイを内蔵した投光部と、一端部に備えた把持部とからなり、携帯に適した請求項１又は２記載の照明器具。
【請求項５】
前記ハウジングの全体形状がスティック形状である請求項４記載の照明器具。
【請求項６】
前記ハウジングに前記光源の電源スイッチを備えてなる請求項４又は５記載の照明器具。
【請求項７】
前記ハウジングの一部にマグネットを形成してなる請求項４〜６何れか１項に記載の照明器具。
【請求項８】
前記光源がＬＥＤ素子である請求項１〜７何れか１項に記載の照明器具。
【請求項９】
前記調光部材は、複数の前記ＬＥＤ素子をそれぞれ取り囲むキャップ部を複数個一体的に備えたものである請求項８記載の照明器具。
【請求項１０】
前記キャップ部をくびれた連結部により直線又は曲線状に連設した請求項９に記載の照明器具。
【請求項１１】
前記光源アレイは、基板上に複数のＬＥＤ素子を直線状又は曲線状に配列して表面実装し、各ＬＥＤ素子の両側に前記係止孔を設けたものであり、前記調光部材は、複数の前記キャップ部を連設するとともに、各キャップ部の両側に前記係止孔に係止する爪片を設けたものである請求項９記載の照明器具。
【考案の詳細な説明】
【技術分野】
【０００１】
本考案は、照明器具に係わり、更に詳しくは特定波長をカットした照明器具に関するものである。
【背景技術】
【０００２】
従来から特定波長をカットした照明器具は、液晶ディスプレイや半導体デバイスの製造工程、あるいは演出用照明として使用されている。近年、一般照明の代替として、消費電力が低く、高発光効率の白色ＬＥＤ照明が普及してきている。白色ＬＥＤ素子から放出される光は、幅広い波長域を含んでいるので、特定波長をカットするフィルタによって目的の波長域の光に調光して使用している。ここで用いるフィルタは、特定波長の光を吸収する作用を有する物質を含むものである。
【０００３】
例えば、液晶ディスプレイや半導体デバイスの製造工程には、特定波長の光に反応するフォトレジスト等の感光材料を使用するフォトリソグラフィー工程がある。この際に、クリーンルーム内の照明は、フォトリソグラフィー工程で使用する感光材料に対して不感である必要がある。半導体回路の微細化によって、露光用光源の短波長化が進む一方で、高圧水銀灯のｇ線（波長４３６ｎｍ）は、安価であるため、それ程の微細化が必要でない用途では多用されている。
【０００４】
従来、このようなクリーンルーム内で用いる室内用光源として、５００ｎｍ以下の短波長域を全てカットした光源（いわゆる「イエローランプ」と称する）が用いられていたが、発光効率が悪いため暗く、それにより灯数が増えて消費電力が高くなるという問題、また室外との色のギャップが大きいため、退室時に気分が悪くなるという問題を有していた。ここで、イエローランプを配置したクリーンルームは、イエロールームと一般的に称されている。
【０００５】
このため、特許文献１では、「４５０ｎｍから５００ｎｍにおいて実質的な発光強度を有するとともに４００ｎｍより波長が短い領域では実質的な発光強度を持たない照明光源と、感光状態にある製品を載置するとともに外観を黄色系とした製品載置部とを有するフォトレジストを使用する製造システム」が提案されている。なお、特許文献１の技術的骨子は、外観を黄色系とした製品載置部を設けた点にある（同特許文献の請求項１）。ところで、特許文献１では、「４５０ｎｍから５００ｎｍにおいて実質的な発光強度を有するとともに４００ｎｍより波長が短い領域では実質的な発光強度を持たない照明光源」（請求項１）が開示され、より白色光に近くなるものの、かかる照明光源の具体例はまったく示されてはいない。
【０００６】
従来、ＬＥＤ照明を調光する場合、ＬＥＤ素子のハウジング部分に紫外線吸収剤等の調光剤を配置していた。具体的には、特許文献２には、ＬＥＤ素子を覆う樹脂に紫外線吸収剤を含有させた構造の蛍光灯代替の直管形照明器具が開示されている。また、特許文献３には、支持フレームに複数のＬＥＤ素子を配置したＬＥＤアレイソースのライト出射表面を、特定波長の光を吸収する光吸収剤を含有する円弧形状のライトフィルタで覆った構造の直管形照明器具が開示されている。また、特許文献４には、光拡散剤と、３００〜５００ｎｍの波長域の少なくとも一部をカットする色素とを含む円筒状のＬＥＤ照明カバー用拡散体が開示されている。
【０００７】
一方、前述のイエロールーム内で設備点検等に使用する携帯型の照明器具においても、前記同様に紫外線領域の特定波長をカットする必要があるが、そのような用途で使用できる専用の携帯型照明器具は存在していなかった。そのため、従来は、懐中電灯に紫外線吸収フィルムを巻き付けて使用していた。尚、用途は異なるが、昆虫類が紫外線に特に反応し、光に集まってくるのを防ぐために、特許文献５では光源を覆う合成樹脂製の円弧状の透明カバーの内面に３００〜４００ｎｍまでの紫外線を吸収する透明なフィルタを貼付したもの、特許文献６には光源を覆う円筒状の透明グローブの樹脂材料に４００ｎｍ以下をカットする紫外線吸収剤を混練したものが提供されている。
【先行技術文献】
【特許文献】
【０００８】
【特許文献１】特許第５２２１２６７号公報
【特許文献２】実用新案登録第３１３４４３２号公報
【特許文献３】特開２０１２−１０４４８０号公報
【特許文献４】特開２０１６−１０３０１７号公報
【特許文献５】実開平３−５８８０１号（実願平１−１１９６１０号のマイクロフィルム）
【特許文献６】特開平１０−３３４７０１号公報
【考案の概要】
【考案が解決しようとする課題】
【０００９】
しかしながら、紫外線吸収剤は高価であるため、照明器具の本体を構成する部分に含有させて樹脂成形すると、紫外線吸収剤の使用量が増えてコスト高となる。一方、紫外線吸収剤が少量で済むフィルム状に成形するのは、少量生産が難しく、小ロット生産を行う場合、やはりコスト高になる問題があった。また、照明器具を使用する用途や態様に応じて、カットすべき特定波長を調整する必要があるが、この場合、調整の都度、調光剤を変えて生産していたのでは、生産性が悪く、やはりコスト高になってしまう。
【００１０】
そこで、本考案が前述の状況に鑑み、解決しようとするところは、紫外線吸収剤等の高価な調光剤の使用量を必要最小限に止めるとともに、小ロット生産にも適し、全体としてコスト低減化を図ることが可能な特定波長をカットした照明器具を提供する点にある。
【課題を解決するための手段】
【００１１】
本考案は、前述の課題解決のために、以下に構成する照明器具を提供する。
【００１２】
（１）
特定波長をカットした照明器具であって、
ハウジングと、
基板上に複数の光源を表面実装し、各光源の周辺に位置する前記基板に係止孔を設けた光源アレイと、
前記光源の発光部を取り囲むことが可能なキャップ部を有するとともに、前記係止孔に係止する爪片を有し、特定波長をカットする調光剤を基材樹脂に配合した調光部材と、
前記調光部材を前記基板に取付けた状態の光源アレイを前記ハウジング内に保持したことを特徴とする照明器具。
【００１３】
（２）
前記調光部材に配合する調光剤が、紫外線吸収剤である（１）記載の照明器具。
【００１４】
（３）
前記ハウジングが、直管形である（１）又は（２）記載の照明器具。
【００１５】
（４）
前記ハウジングが、前記調光部材を前記基板に取付けた状態の光源アレイを内蔵した投光部と、一端部に備えた把持部とからなり、携帯に適した（１）又は（２）記載の照明器具。
【００１６】
（５）
前記ハウジングの全体形状がスティック形状である（４）記載の照明器具。
【００１７】
（６）
前記ハウジングに前記光源の電源スイッチを備えてなる（４）又は（５）記載の照明器具。
【００１８】
（７）
前記ハウジングの一部にマグネットを形成してなる（４）〜（６）何れか１に記載の照明器具。
【００１９】
（８）
前記光源がＬＥＤ素子である（１）〜（７）何れか１に記載の照明器具。
【００２０】
（９）
前記調光部材は、複数の前記ＬＥＤ素子をそれぞれ取り囲むキャップ部を複数個一体的に備えたものである（８）記載の照明器具。
【００２１】
（１０）
前記キャップ部をくびれた連結部により直線又は曲線状に連設した（９）に記載の照明器具。
【００２２】
（１１）
前記光源アレイは、基板上に複数のＬＥＤ素子を直線状又は曲線状に配列して表面実装し、各ＬＥＤ素子の両側に前記係止孔を設けたものであり、前記調光部材は、複数の前記キャップ部を連設するとともに、各キャップ部の両側に前記係止孔に係止する爪片を設けたものである（９）記載の照明器具。
【考案の効果】
【００２３】
以上にしてなる本考案の照明器具によれば、以下に示す効果を奏する。
【００２４】
（１）の構成によれば、調光部材は射出成形可能なため、フィルム形式に比べて少量生産してもコスト高になり難く、また光源を取り囲むだけの小さな部材となり、調光剤の使用量を最小限に抑制でき、全体としてコスト低減化を図ることができる。さらに調光剤の量の調整をフィルム形状に比べて容易に行う事が出来る。また、調光部材の爪片を係止して取付けるための係止孔が光源周辺に形成されており、キャップ部の大きさを最小限にできるため、調光部材の樹脂量及び調光剤の使用量を減らすことができる。
【００２５】
（２）の構成によれば、紫外線吸収剤は高価であるが、フィルム形式に比べてその使用量を最小限に抑制できるので、全体としてコスト上昇を抑制できる。
【００２６】
（３）の構成によれば、光の均一性が優れており、部屋全体に光を照射できるため、一般施設・工場向けの照明器具としても好適である。また、一般施設・工場向けに蛍光灯を代替でき、汎用度がもっとも高い。
【００２７】
（４）の構成によれば、把持部を持って携帯することが可能であり、イエロールーム内で設備点検等に使用することができる。調光部材が投光部の内部にあるので、設備点検等の際、調光部材が設備等に当たって傷が付く恐れがなく、また投光部に傷が付いた場合でも投光部若しくはハウジングを交換すれば良く、高価な調光部材を交換する必要がない。
【００２８】
（５）の構成によれば、設備点検において対象全体を均一に照らすことができる。
【００２９】
（６）の構成によれば、設備点検時に必要に応じてスイッチのＯＮ／ＯＦＦが可能である。
【００３０】
（７）の構成によれば、磁性体（スチール等）の設備や柱等にマグネットを吸着させ、照明器具から手を離して作業ができる。
【００３１】
（８）の構成によれば、明るさ、発光効率、省エネ効率の点で優れている。
【００３２】
（９）の構成によれば、一つの調光部材を光源アレイの基板に取付ければ、同時に複数のＬＥＤ素子の発光部をそれぞれキャップ部で取り囲むことができる。
【００３３】
（１０）の構成によれば、調光部材のＬＥＤ素子を取り囲まない部分の樹脂量を最小限にでき、高価な調光剤の使用量を最小限に出来る。
【００３４】
（１１）の構成によれば、基板及び調光部材がコンパクトになり、コスト低減化に寄与する。さらに、取り付け時において、作業者はキャップ部の一つを指で上から押さえ、爪片にキャップ部の係止孔を係止させた後、他のキャップ部を指で上から押さえながら順次撫でる事で、他のキャップ部の爪片も係止孔に連続的に係止させる事が可能である。このため、作業者は容易に調光部材を照明器具に取り付ける事が出来、照明器具の生産性が向上する。
【図面の簡単な説明】
【００３５】
【図１】本考案の第１実施形態の照明器具の一部省略した斜視図である。
【図２】同じく照明器具の一部省略した分解斜視図である。
【図３】同じく照明器具の断面図である。
【図４】調光部材の平面図である。
【図５】調光部材の側面図である。
【図６】調光部材の斜視図である。
【図７】調光部材を光源アレイの基板に取付けた状態の拡大断面図である。
【図８】実施例における白色ＬＥＤ素子の発光スペクトルと紫外線吸収剤の吸光特性を示すグラフである。
【図９】本考案の第２実施形態の照明器具の斜視図である。
【図１０】同じく照明器具の分解斜視図である。
【図１１】同じく照明器具の分解断面図である。
【図１２】同じく照明器具の断面図である。
【図１３】光源アレイの分解斜視図である。
【考案を実施するための形態】
【００３６】
次に、添付図面に示した実施形態に基づき、本考案を更に詳細に説明する。図１〜図３は本考案に係る第１実施形態の照明器具を示し、図４〜図７はその要部の詳細を示し、図８は実施形態で使用した白色ＬＥＤ素子の発光スペクトルと紫外線吸収剤の吸光特性を示し、図９〜図１３は本考案に係る第２実施形態の照明器具を示し、図中符号１はハウジング、２は光源アレイ、３は調光部材、４は基板、５は光源（ＬＥＤ素子）５をそれぞれ示している。
【００３７】
本考案に係る照明器具は、図１及び図２に示すように、ハウジング１と、基板４上に複数の光源５を表面実装した光源アレイ２と、前記光源５の発光部を取り囲むことが可能なキャップ部６を有し、特定波長をカットする調光剤を基材樹脂に配合した調光部材３と、前記調光部材３を前記基板４に取付けた状態の光源アレイ２を前記ハウジング１内に保持した構造である。
【００３８】
前記調光部材に配合する調光剤は、特定波長をカットする特性を有するものであれば、適宜採用できるが、本実施形態では紫外線を効果的に吸収する特性を備えた紫外線吸収剤を用いる。
【００３９】
前記ハウジング１は、使用環境に応じて直管形、面型、電球蛍光灯型、円環型、電球型なんでも良いが、光の均一性、一般施設・工場向けの汎用度などの理由から、直管形が最も適している。具体的には、前記ハウジング１は、図２及び図３に示すように、透明な長尺の円筒管７と、その両端を塞ぐ口金８とから構成されている。前記円筒管７には、前記基板４の長手側の両側辺を嵌合状態で保持する一対の保持溝９を内面に設けている。また、前記口金８には、従来の蛍光灯と同じソケットに装着でき、また前記光源５に電力を供給するためのピン１０をそれぞれ２本備え、前記円筒管７にシリコーン封止材で固定している。
【００４０】
前記光源５は、有機ＥＬ，ＬＥＤ素子のどちらでも良いが、照明器具への応用を考慮すると明るさ、発光効率、省エネ効率が非常に優れているＬＥＤ素子が最も適している。ＬＥＤ素子５は、例えば赤色、黄色、青色等を用いることができるが、白色が最も好ましい。また、ＬＥＤ素子５の場合、砲弾型、表面実装型のどちらでも良いが、コンパクトに構成できることから表面実装型の方が好ましい。
【００４１】
ここで、砲弾型のＬＥＤ素子５とは、リードフレームと一体化形成したカップ内にＬＥＤチップを実装し、カップ内に蛍光体を分散させた樹脂を封入して、その周りを砲弾型にエポキシ樹脂でモールドした構造である。砲弾型ＬＥＤの特徴は、レンズ効果によりビーム角度を狭くすることで高輝度化（高光度）が可能である（ビーム角度１０〜６０度など）。
【００４２】
また、表面実装型のＬＥＤ素子５とは、セラミックや樹脂などで成型したパッケージの中にＬＥＤチップを実装し、パッケージに蛍光体を分散させたエポキシやシリコーンなどの樹脂を封入し、 反射板の構造を利用して光を取り出す構造である。また、構造上パッケージ基板のパターン設計により、１パッケージ内にＬＥＤチップを１〜４個以上実装して高輝度化が可能である。
【００４３】
前記光源アレイ２は、図２、図３及び図７に示すように、前記基板４であって前記ＬＥＤ素子５周辺に一対の係止孔１１を設けている。そして、前記調光部材には、図４〜図７に示すように、複数の前記ＬＥＤ素子５をそれぞれ取り囲むキャップ部６を複数個一体的に備え、前記係止孔１１に係止するための一対の爪片１２を設けている。
【００４４】
更に詳しくは、前記光源アレイ２は、基板４上に複数のＬＥＤ素子５を一定間隔で直線状に配列して表面実装し、各ＬＥＤ素子５の両側に前記係止孔１１を設けたものであり、前記調光部材３は、複数の前記キャップ部６を一定間隔毎に連設するとともに、各キャップ部６の両側に前記係止孔１１に係止する爪片１２を設けたものである。前記基板４の表面側から前記調光部材３を嵌合することにより、各ＬＥＤ素子５を各キャップ部６で取り囲むと同時に、前記爪片１２を前記係止孔１１に弾性的に挿入して係止するのである。尚、照明器具の形状に応じて、前記基板４の形状と前記ＬＥＤ素子５の配列は決定され、例えばＬＥＤ素子５を曲線状に配列することもある。
【００４５】
本実施形態では、前記光源アレイ２は、４枚の基板４にそれぞれ２２個のＬＥＤ素子５を表面実装し、各基板４同士は図示しないジャンパーピンで接続し、回路的に一体化している。更に、一端部の基板４の配線パターンには、一方の口金８のピン１０をハーネスで接続するとともに、ブリッジダイオードを実装し、基板４上の各ＬＥＤ素子５に電流を供給している。そして、前記調光部材３は、前記キャップ部６を２〜２２個連設するが、製造工数の削減、嵌合作業の容易さなどの理由で８〜１１個が連結されているのが望ましい。本実施形態では、前記調光部材３は、８個の前記キャップ部６をくびれた連結部１３により一定間隔で直線状に連設した構造となっている。尚、複数の前記キャップ部６の配列は、前記ＬＥＤ素子５の配列に応じて直線状又は曲線状などになる。
【００４６】
ここで、前記調光部材３のキャップ部６の形状は、半球状、立方体、三角錐、三角柱、円柱等立体形状であれば何でも良いが、角部がなく光を満遍な透過させる点で半球状が最も適している。また、前記調光部材３のキャップ部６の大きさは、半球形の場合、扱いやすさの観点から半径３〜８ｍｍで、好ましくは４〜５ｍｍが望ましい。高さは３〜８ｍｍで、好ましくは４〜５ｍｍが望ましい。そして、前記ＬＥＤ素子５の間隔は８〜２５ｍｍで、好ましくは１０〜１５ｍｍであり、前記キャップ部６の間隔もそれに合わせている。
【００４７】
そして、前記調光部材３の基材樹脂は、例えば塩化ビニル、塩化ビニル系樹脂、ポリカーボネート樹脂、ポリエチレンテレフタレート、ポリメタクリル酸メチル系樹脂（ＰＭＭＡ）等の熱可塑性樹脂が用いられるが、強度及び透過率が優れているため、ポリカーボネート樹脂が最も適している。
【００４８】
前述の基材樹脂に配合する調光剤としては、紫外線吸収剤、可視光線吸収剤、顔料、染料が用いられる。半導体工場のイエロールームで使用される室内用照明器具には、すべて好適に用いられる。特に、高圧水銀灯のｇ線（４３６ｎｍ）をカットしつつ、発光強度の高い青色成分を吸収し過ぎない紫外線吸収剤を使用することが好ましい。
【００４９】
前記調光部材３は、これら基材樹脂に調光剤を配合し、更に通常用いられる滑剤、熱安定剤などを配合した樹脂材料を用い、射出成型、プレス成形（真空成形、圧空成形、熱盤成形）、押出成形によって所定形状に成形されるが、キャップ部のような立体構造を有する調光部材においては、材料費削減、小ロット対応などの理由で射出成型が望ましい。また、一度金型を製造しておけば、調光剤を変える必要が生じた場合であっても、容易に調光部材を繰り返し製造する事ができる。従って、ロールを製造するフィルム形式に比べて調光剤の変更、調整が行いやすく、全体として照明器具のコスト上昇を抑制できる。
【００５０】
紫外線吸収剤の基材樹脂に対する割合は、０．１〜３．０重量％、好ましくは０．５〜１．５重量％である。０．１重量％未満では、特定波長の紫外線をカットする効果に乏しく、一方３．０重量％を超えても紫外線カットの効果が比例的に向上するものでもなく、不経済でもある。なお、好ましい割合のうち、０．５重量％未満では顕著な紫外線カットの効果が得られず、一方１．５重量％を超えるとブリードアウトが著しくなり、紫外線カットの効果が低下する。
【００５１】
前記ハウジング１に用いられ樹脂としては、好ましくは塩化ビニル系樹脂、ポリカーボネート、ポリエチレンテレフタレート、ポリエチレン、ポリプロピレン、アクリル系樹脂などが挙げられる。更に好ましくは、透明性と光による耐劣化性、コスト面のバランスを考慮すると、塩化ビニル系樹脂、ポリカーボネート、ポリエチレンテレフタレート、及びポリメタクリル酸メチル系樹脂（ＰＭＭＡ）の群から選ばれた少なくとも１種の樹脂である。
【００５２】
本実施形態で使用した白色ＬＥＤ素子５の発光スペクトルと紫外線吸収剤の吸光特性を図８に示している。紫外線吸収剤は、吸収ピーク波長（Λmax）が３９４ｎｍの付近の波長の紫外線を選択的に吸収する特性のものを用いた。
【００５３】
ポリカーボネート樹脂（出光興産社製）に、紫外線吸収剤０．５重量％を含有させて、射出成形により成形し、キャップ部６の厚みが１．０ｍｍの調光部材３を作製した。次いで、基板４上に実装した白色ＬＥＤ素子５の発光部に、調光部材のキャップ部６を被せて光源アレイ２を作製した。前記調光部材３のキャップ部６のｇ線（４３６ｎｍ）透過率は０．０８％であった。この光源アレイ２の分光スペクトルの測定を実施した。
【００５４】
作製した光源アレイ２で得られる光において、波長４４０ｎｍ以下、具体的には略４３６ｎｍ以下の波長がほぼカットされていた。このことから、本考案の照明器具は、フォトレジスト等の感光性材料を使用する工程において、感光性材料と反応する特定波長の光をカットしつつ、得られる光は、黄色みを帯びておらず、ごく自然光に近い白色が得られることが分かる。
【００５５】
次に、本考案に係る第２実施形態の照明器具を図９〜図１３に基づいて説明する。本実施形態の照明器具は、持ち歩いて使用できる携帯型照明器具であり、ハウジング１Ａが、前記調光部材３を前記基板４に取付けた状態の光源アレイ２を内蔵した投光部１４と、一端部に備えた把持部１５とから構成されている。
【００５６】
ここで、前記ハウジング１Ａの全体形状がスティック形状であり、前記ハウジング１の適所、好ましくは前記把持部１５に前記光源５の電源スイッチ１６を備えている。更に、前記ハウジング１の一部にマグネット１７を形成し、磁性体からなる設備や柱のスチール部分等に吸着させて保持することができるようにしている。
【００５７】
更に詳しくは、前記ハウジング１Ａは、図９〜図１２に示すように、半円筒状のベース部１８と、該ベース部１８の先端側の溝内に収容する円筒管１９と、前記ベース部１８の基端側に取付ける基端側カバー部２０と、前記ベース部１８の先端側に取付ける先端側カバー部２１とからなり、前記基端側カバー部２０と先端側カバー部２１を前記ベース部１８にネジ２２で固定することで前記円筒管１９の両端部を保持している。従って、前記円筒管１９の略半分が露出した状態となっている。
【００５８】
ここで、前記円筒管１９の露出部が前記投光部１４ととなり、前記基端側カバー部２０を取付けた部分が前記把持部１５となる。前記電源スイッチ１６は、前記基端側カバー部２０に設けられ、前記ベース部１８と該基端側カバー部２０で形成される空間部には電池（図示せず）が収容されて、前記電源スイッチ１６を介して前記光源５のＬＥＤ素子に電流を供給している。また、前記ベース部１８の背面側に形成した凹部２３内に、前記マグネット１７を接着して一体化している。
【００５９】
本実施形態では、前記ベース部１８は、中央部で分割した成形品を接合して一体化した構造になっているが、該ベース部１８の全体を一体成形しても良い。分割する方が、小型の金型と成型機を用いることができるので経済的である。前記円筒管１９は、第１実施形態の円筒管７と同じ部品であり、該円筒管１９には前記同様の光源アレイ２が保持溝９で保持されている。本実施形態の光源アレイ２は、図１３に示す。この光源アレイ２を構成する調光部材３、基板４、光源５は前記同様であるので、同一構成には同一符号を付してその説明は省略する。
【００６０】
本実施形態の携帯型照明器具の全長は、照明としての明るさを５００ルーメン（ｌｍ）以上とし、かつ設備点検時の際、取り扱いやすさを確保するという点で３００〜５００ｍｍが好ましい。携帯型照明器具の全体形状はスティック形状、ランタン形状、ペン形状、バー形状等何でも良く、設備点検においては対象全体を均一に照らすことができるという点でスティック状が望ましい。
【００６１】
前述のようにベース部１８の背面にマグネット１７を配置する事で、スチール製等の磁性体からなる設備や柱に吸着固定が可能となり、照明器具から手を離して作業ができる。携帯型照明器具の投光部１４は、直管型、面型、電球蛍光型、電球型等何でも良く、設備点検においては対象全体を均一に照らすことができるという点で直管型が望ましい。
【００６２】
前記電源スイッチ１６は、ボタンスイッチ、スライドスイッチ、ロッカスイッチ等の各種スイッチが採用できるが、省スペースに形成でき、全体形状をコンパクトにできるという理由でボタンスイッチが望ましい。
【００６３】
前記把持部１５が照明器具全体に対して１／３程度専有しており、円柱状、グリップ形状、リング形状等何でも良いが、設備点検時に、把持部１５が投光部１４から照射される光の影とならないという理由で、円柱形状もしくはグリップ形状が望ましい。前記ベース部１８、基端側カバー部２０及び先端側カバー部２１の材質は、ＡＢＳ系樹脂、ナイロン系樹脂、塩化ビニル系樹脂、ポリカーボネート、ポリエチレンテレフタレート、ポリエチレン、ポリプロピレン、アクリル系樹脂、ゴム系樹脂、エラストマー樹脂等が挙げられるが、比較的安価かつ携帯型照明器具として十分な強度を付与できるという理由でＡＢＳ系樹脂が好ましい。
【００６４】
電源は外部電源、内部電源どちらでも良い。内部電源（電池）の場合は、電源コードを用いる必要がなく、携帯時に電源コードを機械設備に引っ掛ける恐れがない。外部電源の場合は全体重量が軽量となり、長時間の点検作業においても、作業者の負担にならない。
【符号の説明】
【００６５】
１  ハウジング
２  光源アレイ
３  調光部材
４  基板
５  光源（ＬＥＤ素子）
６  キャップ部
７  円筒管
８  口金
９  保持溝
１０  ピン
１１  係止孔
１２  爪片
１３  連結部
１４  投光部
１５  把持部
１６  電源スイッチ
１７  マグネット
１８  ベース部
１９  円筒管
２０  基端側カバー部
２１  先端側カバー部
２２  ネジ
２３  凹部
【図１】
0003235628.tif 000003
【図２】
0003235628.tif 000004
【図３】
0003235628.tif 000005
【図４】
0003235628.tif 000006
【図５】
0003235628.tif 000007
【図６】
0003235628.tif 000008
【図７】
0003235628.tif 000009
【図８】
0003235628.tif 000010
【図９】
0003235628.tif 000011
【図１０】
0003235628.tif 000012
【図１１】
0003235628.tif 000013
【図１２】
0003235628.tif 000014
【図１３】
0003235628.tif 000015